(57)【特許請求の範囲】
【請求項１】
扉内に固定された錠箱と、錠箱に対し、フロント板側から操作される取付手段により着脱可能に取り付けられた原シリンダ錠と、錠箱内に設けられ、原シリンダ錠の内筒の回動作用が錠箱に支承された回転作動片を含む連係機構を通じ突出入作用として伝達されるデッドボルトとを備えて成る仮設又は既設の錠装置において、上記原シリンダ錠は取付筒に収納した状態で、該取付筒の内端に一体に形成された一対の耳片をフロント板側から水平方向に貫通する一対の取付ロッドによって錠箱に装着するものとし、一方、原シリンダ錠を他のシリンダ錠に付け換えるときには、上記一対の取付ロッドをフロント板側から抜くことによって原シリンダ錠を取付筒ごと錠箱から取り外した後、他のシリンダ錠を含む交換用組立体を前記の錠箱に取り付け、原シリンダ錠を収納した取付筒と同様に、フロント板側から一対の取付ロッドを交換用組立体の内端部を貫通するように挿し通して、交換用組立体を錠箱に装着するものとし、他方、交換用組立体は、内側から順に、環状をなし、内端部を原シリンダ錠の取付筒のそれとほぼ同形にしたアダプタと、このアダプタの内側に回転自在に支承され、錠箱内の回転作用片と他のシリンダ錠の内筒を繋ぐ連結軸と、外観が円錐台状をなす台リングと、軸線方向に位置の調整が可能な化粧リングを有し、止めねじによってアダプタに結合された他のシリンダ錠とで構成されており、交換用組立体の錠箱に対する取付後において、台リングは他のシリンダ錠の化粧リングの後端縁と扉表面との間で挟み付けられるようにしたことを特徴とする錠装置におけるシリンダ錠の付換え装置。
【請求項２】
アダプタに対する他のシリンダ錠の取付部の止めねじによる固定について、他のシリンダ錠の取付部における止めねじのための取付孔として既存のものを利用することを特徴とする請求項１記載の錠装置におけるシリンダ錠の付換え装置。
【発明の詳細な説明】
【０００１】
【発明の属する技術分野】
この発明は、錠装置におけるシリンダ錠の付換え装置に関する。
この発明に係るシリンダ錠の付換え装置は、錠装置の製作会社が決まっていない建造過程の建物における扉に対しある製作会社の錠装置を仮に取り付ける場合や既設の錠装置について何んらかの理由でシリンダ錠部分のみを付け換える場合などに実施するに有効であり、全く新規な装置として提案されたものである。
【０００２】
【従来の技術】
従来の錠装置においては、それが扉に対し既に取り付けられている場合、シリンダ錠のみを取付型式の異なる他のシリンダ錠、例えば別の製作会社のシリンダ錠に付け換えることはできず、シリンダ錠を取り替えたい時は錠装置を全体として交換しなければならず、費用も多く掛る上、極めて面倒な作業を要していた。
【０００３】
【発明が解決しようとする課題】
この発明のシリンダ錠の付換え装置は、扉内に固定された錠箱と、錠箱に対し、フロント板側から操作される取付手段により着脱可能に取り付けられた原シリンダ錠と、錠箱内に設けられ、原シリンダ錠の内筒の回動作用が錠箱に支承された回転作動片を含む連係機構を通じ突出入作用として伝達されるデッドボルトとを備えて成る仮設又は既設の錠装置について、錠箱、回転作動片を含む連係機構及びデッドボルトをそのままにしておいて、原シリンダ錠のみを取付型式の異なる他のシリンダ錠、例えば、別の製作会社のシリンダ錠に付け換えることができるようにすることを目的として開発されたものである。
【０００４】
【課題を解決するための手段】
上記の目的を達成するため、この発明の請求項１に係るシリンダ錠の付換え装置は、扉内に固定された錠箱と、錠箱に対し、フロント板側から操作される取付手段により着脱可能に取り付けられた原シリンダ錠と、錠箱内に設けられ、原シリンダ錠の内筒の回動作用が錠箱に支承された回転作動片を含む連係機構を通じ突出入作用として伝達されるデッドボルトとを備えて成る仮設又は既設の錠装置において、上記原シリンダ錠は取付筒に収納した状態で、該取付筒の内端に一体に形成された一対の耳片をフロント板側から水平方向に貫通する一対の取付ロッドによって錠箱に装着するものとし、一方、原シリンダ錠を他のシリンダ錠に付け換えるときには、上記一対の取付ロッドをフロント板側から抜くことによって原シリンダ錠を取付筒ごと錠箱から取り外した後、他のシリンダ錠を含む交換用組立体を前記の錠箱に取り付け、原シリンダ錠を収納した取付筒と同様に、フロント板側から一対の取付ロッドを交換用組立体の内端部を貫通するように挿し通して、交換用組立体を錠箱に装着するものとし、他方、交換用組立体は、内側から順に、環状をなし、内端部を原シリンダ錠の取付筒のそれとほぼ同形にしたアダプタと、このアダプタの内側に回転自在に支承され、錠箱内の回転作用片と他のシリンダ錠の内筒を繋ぐ連結軸と、外観が円錐台状をなす台リングと、軸線方向に位置の調整が可能な化粧リングを有し、止めねじによってアダプタに結合された他のシリンダ錠とで構成されており、交換用組立体の錠箱に対する取付後において、台リングは他のシリンダ錠の化粧リングの後端縁と扉表面との間で挟み付けられるようにしたことを特徴とする。
【０００５】
また、請求項２に係るシリンダ錠の付換え装置は、請求項１の発明において、アダプタに対する他のシリンダ錠の取付部の止めねじによる固定について、他のシリンダ錠の取付部における止めねじのための取付孔として既存のものを利用することを特徴とする。
【０００６】
【発明の実施の形態】
以下、図面に示す実施例に基いてこの発明について説明する。
【０００７】
図１は扉に対し仮設又は既設の錠装置の一例を示しており、この錠装置では付換え前の原シリンダ錠３が備えられている。また、図２〜図４はこの発明の第１実施例を示しており、図５〜図７はこの発明の第２実施例を示している。
【０００８】
第１実施例及び第２実施例において錠装置に備えられたシリンダ錠７、７は、いずれも付け換えられた取付型式の異なる他のシリンダ錠で、例えば原シリンダ錠３とは別の製作会社で作られたシリンダ錠を表している。
【０００９】
なお、他のシリンダ錠７は、原シリンダ錠３と取付型式が元来異なるものであれば、同一製作会社のものであってもよい。
【００１０】
図１において、扉１０に取り付けられた錠装置は従来より使われてきたもので、扉１０内に固定された錠箱１と、その錠箱１に対し、フロント板側から操作できる任意の取付手段２により着脱可能に取り付けられた原シリンダ錠３と、錠箱１内に設けられ、原シリンダ錠３の内筒３１の合鍵による回動作用が錠箱１に回転自在に支承された回転作動片１１を含む連係機構を通じ突出入作用として伝達されるデッドボルト（図示しない）とを備えて成る。
【００１１】
同図において、符号３１ａは内筒３１の後端部に設けられたテイルピースで、その先端は回転作動片１１に係合させてある。
【００１２】
図示例の原シリンダ錠３は外筒３２の回りにスペーサ筒３３を介し取付筒３４を備えており、その取付筒３４が原シリンダ錠３の最外筒を形成している。そして、最外筒３４の後端部３４ａには一対の耳片３４ｂ、３４ｂが一体に形成してあって、その部分３４ａが取付部を構成する。
【００１３】
前記の取付部３４ａにおける各耳片部分３４ｂには錠箱１の側板と平行をなす水平な貫通孔３４ｃ、３４ｃが設けてあって、それらへ取付手段としての取付ロッド２、２がそれぞれ着脱可能に貫通させてある。要するに、原シリンダ錠３は例えば錠箱１の裏板及び後方板に保持された一対の取付ロッド２、２によって取り付けられている。
【００１４】
原シリンダ錠３の取付ロッド２の長さ方向における位置は錠箱１の側板に開口された孔と原シリンダ錠３との嵌合又は錠箱１内に固設された止め片（図示しない）と原シリンダ３との当接により拘束定位される。
【００１５】
錠箱のフロント板側から操作される原シリンダ錠の他の取付手段としては、図示はしないが、錠箱に設けた雌ねじ孔に原シリンダ錠をその胴部（最外筒）に設けた雄ねじをもってねじ込み、原シリンダ錠の胴部（最外筒）に設けた切欠き部にフロント板側から操作できる拘束部材を当接させるようにしたものを挙げることができる。
【００１６】
図１において、符号３５は原シリンダ錠３における外筒又は取付筒等の固定（不動）の最外筒３４に対し軸線方向に位置の調整が可能な化粧リングで、化粧リング３５は原シリンダ錠３の最外筒３４に巻装された圧縮ばね３６によりその後端縁が扉1０の表面に当接するように付勢させてある。扉１０における原シリンダ錠３のための取付孔はこの化粧リング３５により見えないようにカバーされる。
【００１７】
また、符号２０は原シリンダ錠３と同様の取付手段２、２で扉１０の室内側において錠箱１に取り付けたサムターン組立体で、サムターン軸２０ａは上述したテイルピース３１ａとは反対側から回転作動片１１に係合させてある。
【００１８】
なお、図１の錠装置をワンドア・ツーロックの補助錠として用いる場合、あるいは点検口の扉又は物入れの扉等に設ける場合には、サムターン組立体２０は必ずしも設けることを要しない。要するに、この発明のシリンダ錠の付換え装置において、サムターン組立体２０は必須のものではなく、サムターン組立体２０はあってもなくてもよい。
【００１９】
図１に示すように扉１０に取り付けられた錠装置において、原シリンダ錠３のみを例えば他社のシリンダ錠７に付け換えたい場合は、フロント板側から取付ロッドその他の取付手段２を操作して原シリンダ錠３のみを扉１０の取付孔を通じ錠箱１から抜き取った後、図２〜図４の第１実施例に示すように、原シリンダ錠３の代りとして、他のシリンダ錠７を含む交換用組立体３０を扉１０の取付孔を通じ、同じ取付手段２によって錠箱１に取り付ける。
【００２０】
図２〜図４に示す第１実施例において交換用組立体３０を説明すると、交換用組立体３０は、端的に述べれば、環状をなすアダプタ４と、短軸である連結軸５と、例えば外観が円錐台状をなす台リング６と、外筒又は取付筒等の固定（不動）の最外筒７２に対し軸線方向に位置の調整が可能な化粧リング７３を有する他のシリンダ錠７とで構成されている。
【００２１】
前記の交換用組立体３０について更に詳しく述べると、原シリンダ錠３の最外筒３４の取付部３４ａとほぼ同形にした取付部４１を有する環状のアダプタ４の内側には、後端（内端側）に該交換用組立体３０の錠箱１に対する取付時回転作動片１１に嵌まり合う（係合する）テイルピース様をなす一体の係合片５１を有し、前端（外端側）に他のシリンダ錠７のテイルピース７１が嵌まり合う（係合する）受け溝５２を有する連結軸５を回転自在に支承させてある。
【００２２】
かつまた、前記アダプタ４の内側には、最外筒７２の後端部に軸線方向の変位が可能な台リング６を装着した他のシリンダ錠７の取付部７４が該アダプタ４の軸線方向に沿って設けたねじ孔４２、４２を通じて差し込まれた止めねじ９、９によって固定してある。
【００２３】
他のシリンダ錠７の取付部７４における取付孔７５、７５としての雌ねじ孔は、アダプタ４との結合のため新たに設けてもよいが、その取付部７４が元来有している既存（既設）のものを利用すると、効率的であり、また、他のシリンダ錠７の作動を穿孔により損ねることがなく好ましい。
【００２４】
なお、アダプタ4における他のシリンダ錠７を結合させるための嵌め孔４３は、他のシリンダ錠７における取付部７４に対応させた形状に形成することは勿論である。
【００２５】
上述したように、交換用組立体３０におけるアダプタ４の後端部である取付部４１は、原シリンダ錠３の取付部３４ａと同様の形状に形成してある。
【００２６】
更に具体的には、第１実施例のアダプタ４の取付部４１における一体の耳片４１ａ、４１ａには錠箱１の側板と平行をなす水平な貫通孔４４、４４が設けてあって、それらに取付手段としての取付ロッド２、２が着脱可能に貫通させてある。
【００２７】
要するに、交換用組立体３０はアダプタ４を介し例えば錠箱１の裏板及び後方板に保持された一対の取付ロッド２、２によって取り付けられている。
【００２８】
交換用組立体３０の取付ロッド２の長さ方向における位置は錠箱１の側板に開口された孔と交換用組立体３０との嵌合又は錠箱１内に固設された止め片（図示しない）と交換用組立体３０との当接により拘束定位される。
【００２９】
錠箱のフロント板側から操作される交換用組立体の他の取付手段としては、図示はしないが、錠箱に設けた雌ねじ孔に交換用組立体のアダプタに設けた雄ねじをもってねじ込み、アダプタに設けた切欠き部にフロント板側から操作できる拘束部材を当接させるようにしたものを挙げることができる。
【００３０】
そして、交換用組立体３０の前記した取付手段２による錠箱１に対する取付後において、他のシリンダ錠７のテイルピース７１と錠箱１内の回転作動片１１とは上記の連結軸５で接続され、また、台リング６は他のシリンダ錠７の化粧リング７３の後端縁が形成する平端面と扉表面との間で密接状態で挟み付けられる。
【００３１】
他のシリンダ錠７における変位可能な化粧リング７３が最外筒７２に巻装するようにして設けられた圧縮ばね（図示しない）により後方に向くように付勢させてある場合は、その後端縁が自動的に台リング６の前面部６１に当接し、また、その化粧リング７３がシリンダ錠７の最外筒７２にねじ合わせ手段（図示しない）により螺合させてある場合は、該化粧リング７３を手指で回すことによりその後端縁を台リング６の前面部６１に当接させることができる。
【００３２】
前記のような構成の化粧リング７３及び台リング６の存在により、交換用組立体３０の取付状態において、扉１０における該組立体３０のための取付孔並びにアダプタ４は見えないようにカバーされる。
【００３３】
図５〜図７に示すこの発明の第２実施例において、図２〜図４の第１実施例と同一の符号で指し示す部材並びに部位は相互に等効の部材並びに部位を表わしているので、ここでは記述の重複を避けて第１実施例と相違している部分についてのみ説明する。
【００３４】
第２実施例の交換用組立体３０においては、アダプタ４と他のシリンダ錠７の取付部７４との間は、該アダプタ４の軸線方向と直角をなす方向に沿って設けた雌ねじ孔４５及び他のシリンダ錠７の取付孔７５としての差込み孔に対し、先端側が円柱部９ａに形成され頭部側に雄ねじ部９ｂが切られた止めねじ９をねじ込み固定してある。
【００３５】
この実施例においては、他のシリンダ錠７の取付部７４における取付孔７５としてその取付部７４が元来有している既存（既設）のピン孔を利用しているが、この取付部７４に対しアダプタ４との結合のための取付孔を別に設けてもよい。
【００３６】
他のシリンダ錠７の取付部７４が元来有している既存（既設）の取付孔７５を利用した時は、効率的であり、また、他のシリンダ錠７の作動を穿孔により損ねることがなく好ましいことは上述の通りである。
【００３７】
なお、図面において、原シリンダ錠３としてはディスクシリンダ錠が使用されており、また、第１実施例及び第２実施例における他のシリンダ錠７、７としては共にピンシリンダ錠が使用されているが、この発明における原シリンダ錠及び他のシリンダ錠としては、それぞれディスクシリンダ錠、ピンシリンダ錠又はロータリーディスクシリンダ錠など、任意の種類のシリンダ錠を採用できる。
【００３８】
【発明の効果】
以上に説明したこの発明によれば、扉に対し取り付けられた錠装置について、錠箱、回転作動片を含む連動機構及びデッドボルトをそのままにしておいて、原シリンダ錠のみを取付型式の異なる他のシリンダ錠、例えば別の製作会社のシリンダ錠に極めて簡単な作業で付け換えることができるという効果を奏する。
【００３９】
また、他のシリンダ錠のアダプタに対する固定について、他のシリンダ錠の取付部における止めねじのための取付孔として既存のものを利用するものにあっては、効率的であるばかりでなく、他のシリンダ錠の作動を穿孔によって損ねることがなく好ましいなどの利点もある。
【図面の簡単な説明】
【図１】原シリンダ錠を備え、扉に対し既に取り付けられ錠装置の一例を示す部分縦断側面図。
【図２】この発明の第１実施例を示す部分縦断側面図（但し、この図においてサムターン組立体の表示は省略してある）。
【図３】図２に示された錠装置から取り出した第１実施例に係る交換用組立体の背面図。
【図４】同じくその交換用組立体の分解斜視図。
【図５】この発明の第２実施例を示す部分縦断側面図（但し、この図においてサムターン組立体の表示は省略してある）。
【図６】図５に示された錠装置から取り出した第２実施例に係る交換用組立体の背面図。
【図７】同じくその交換用組立体の分解斜視図。
【符号の説明】
１０  扉
３０  交換用組立体
１  錠箱
１１  回転作動体
２  取付ロッド
３  原シリンダ錠
３１  内筒
３４  最外筒
３４ａ  取付部
３４ｂ  耳片
４  アダプタ
５  連結軸
５１  係合片
５２  受け溝
６  台リング
７  他のシリンダ錠
７１  テイルピース
７２  最外筒
７３  化粧リング
７４  取付部
【図１】
0003966579.tif 000002
【図２】
0003966579.tif 000003
【図３】
0003966579.tif 000004
【図４】
0003966579.tif 000005
【図５】
0003966579.tif 000006
【図６】
0003966579.tif 000007
【図７】
0003966579.tif 000008